(57)【要約】  ワイヤレス通信装置の通話セットアップ時間を減少させるための装置と方法は、アップリンク干渉情報を決定することと、共通制御チャネル上で送られることになるページングメッセージ中に、アップリンク干渉情報を含めることと、共通制御チャネル上でページングメッセージを送ることとを含む。１つの観点では、ページングメッセージが受け取られ、受け取られたページングメッセージからアップリンク干渉情報が取得され、受け取られたページングメッセージに応答して、ＲＲＣ接続要求メッセージが送られる。【選択図】図４
2010518703.tif 000002
【特許請求の範囲】
【請求項１】
ワイヤレス通信装置の通話セットアップ時間を減少させるための方法において、
アップリンク干渉情報を決定することと、
共通制御チャネル上で送られることになるページングメッセージ中に、前記アップリンク干渉情報を含め、これによって通話セットアップ時間を減少させることと
を含む方法。
【請求項２】
前記共通制御チャネル上で前記ページングメッセージを送ることをさらに含む、請求項１記載の方法。
【請求項３】
前記ワイヤレス通信装置は３Ｇシステムの一部である、請求項２記載の方法。
【請求項４】
前記ワイヤレス通信装置はＵＭＴＳの一部である、請求項３記載の方法。
【請求項５】
前記共通制御チャネルはＳ−ＣＣＰＣＨである、請求項４記載の方法。
【請求項６】
ワイヤレスネットワークは、前記共通制御チャネル上で前記ページングメッセージの送信を実行する、請求項２記載の方法。
【請求項７】
前記ワイヤレスネットワークは３Ｇシステムである、請求項６記載の方法。
【請求項８】
前記３ＧシステムはＵＭＴＳである、請求項７記載の方法。
【請求項９】
前記共通制御チャネル上で前記ページングメッセージを受け取ることをさらに含む、請求項１記載の方法。
【請求項１０】
前記共通制御チャネルは、Ｓ−ＣＣＰＣＨである、請求項９記載の方法。
【請求項１１】
前記受け取ったページングメッセージから前記アップリンク干渉情報を取得することをさらに含む、請求項９記載の方法。
【請求項１２】
前記取得したアップリンク干渉情報を記憶させることと、
有効期限タイマーを開始させることと、
前記有効期限タイマーが期限切れするまで、前記取得されたアップリンク干渉情報が有効であるとしてみなすことと
をさらに含む、請求項１１記載の方法。
【請求項１３】
前記アップリンク干渉情報を使用して、ＲＲＣ接続要求メッセージを送ることによって、前記受け取ったページングメッセージに応答することをさらに含む、請求項１１記載の方法。
【請求項１４】
開ループ電力制御計算において、前記アップリンク干渉情報を使用して、前記ワイヤレス通信装置に対する適切な送信電力レベルを決定する、請求項１３記載の方法。
【請求項１５】
ワイヤレス通信装置の通話セットアップ時間を減少させるための方法において、
アップリンク干渉情報を含む、ページングメッセージを受け取ることと、
前記受け取ったページングメッセージから前記アップリンク干渉情報を取得することと、
前記アップリンク干渉情報を使用して、ＲＲＣ接続要求メッセージを送ることによって、前記受け取ったページングメッセージに応答することと
を含む方法。
【請求項１６】
前記取得したアップリンク干渉情報を記憶させることと、
有効期限タイマーを開始させることと、
前記有効期限タイマーが期限切れするまで、前記取得されたアップリンク干渉情報が有効であるとしてみなすことと
をさらに含む、請求項１５記載の方法。
【請求項１７】
開ループ電力制御計算において、アップリンク干渉レベルを使用して、前記ワイヤレス通信装置に対する適切な送信電力レベルを決定する、請求項１５記載の方法。
【請求項１８】
前記ワイヤレス通信装置は３Ｇシステムの一部である、請求項１７記載の方法。
【請求項１９】
前記ワイヤレス通信装置はＵＭＴＳの一部である、請求項１８記載の方法。
【請求項２０】
ワイヤレス通信装置の通話セットアップ時間を減少させるための方法において、
アップリンク干渉情報を決定することと、
共通制御チャネル上で送られることになるページングメッセージ中に、前記アップリンク干渉情報を含めることと、
前記共通制御チャネル上で前記ページングメッセージを送ることと、
前記ページングメッセージを受け取ることと、
前記受け取ったページングメッセージから前記アップリンク干渉情報を取得することと、
前記アップリンク干渉情報を使用して、ＲＲＣ接続要求メッセージを送ることによって、前記受け取ったページングメッセージに応答することと
を含む方法。
【請求項２１】
前記ワイヤレス通信装置は３Ｇシステムの一部である、請求項２０記載の方法。
【請求項２２】
前記ワイヤレス通信装置はＵＭＴＳの一部である、請求項２１記載の方法。
【請求項２３】
前記共通制御チャネルはＳ−ＣＣＰＣＨである、請求項２２記載の方法。
【請求項２４】
ワイヤレスネットワークは、前記ページングメッセージの送信を実行する、請求項２３記載の方法。
【請求項２５】
前記ワイヤレスネットワークは３Ｇシステムである、請求項２４記載の方法。
【請求項２６】
前記３ＧシステムはＵＭＴＳである、請求項２５記載の方法。
【請求項２７】
前記取得したアップリンク干渉情報を記憶させることと、
有効期限タイマーを開始させることと、
前記有効期限タイマーが期限切れするまで、前記取得されたアップリンク干渉情報が有効であるとしてみなすことと
をさらに含む、請求項２６記載の方法。
【請求項２８】
プロセッサとメモリとを具備する装置において、前記メモリは、前記プロセッサによって、方法を実行させるように実行可能なプログラムコードを備え、
前記方法は、
アップリンク干渉情報を決定することと、
共通制御チャネル上で送られることになるページングメッセージ中に、前記アップリンク干渉情報を含め、これによって通話セットアップ時間を減少させることと
を含む装置。
【請求項２９】
前記メモリは、前記共通制御チャネル上で前記ページングメッセージを送るためのプログラムコードをさらに備える、請求項２８記載の装置。
【請求項３０】
前記装置はＵＭＴＳの一部であり、前記共通制御チャネルはＳ−ＣＣＰＣＨである、請求項２９記載の装置。
【請求項３１】
プロセッサとメモリを具備する装置において、前記メモリは、前記プロセッサによって、方法を実行させるように実行可能なプログラムコードを備え、
前記方法は、
アップリンク干渉情報を含む、ページングメッセージを受け取ることと、
前記受け取ったページングメッセージから前記アップリンク干渉情報を取得することと、
前記アップリンク干渉情報を使用して、ＲＲＣ接続要求メッセージを送ることによって、前記受け取ったページングメッセージに応答することと
を含む装置。
【請求項３２】
前記メモリは、共通制御チャネル上で前記ページングメッセージを受け取るためのプログラムコードをさらに備える、請求項３１記載の装置。
【請求項３３】
前記装置はＵＭＴＳの一部であり、前記共通制御チャネルはＳ−ＣＣＰＣＨである、請求項３２記載の装置。
【請求項３４】
前記メモリは、
前記取得したアップリンク干渉情報を記憶させ、
有効期限タイマーを開始させ、
前記有効期限タイマーが期限切れするまで、前記取得されたアップリンク干渉情報が有効であるとしてみなすためのプログラムコードをさらに備える、請求項３３記載の装置。
【請求項３５】
通話セットアップ時間を減少させるための装置において、
アップリンク干渉情報を決定する手段と、
共通制御チャネル上で送られることになるページングメッセージ中に、前記アップリンク干渉情報を含め、これによって通話セットアップ時間を減少させる手段と
を具備する装置。
【請求項３６】
前記共通制御チャネル上で前記ページングメッセージを送る手段をさらに具備する、請求項３５記載の装置。
【請求項３７】
前記装置はＵＭＴＳの一部であり、前記共通制御チャネルはＳ−ＣＣＰＣＨである、請求項３６記載の装置。
【請求項３８】
通話セットアップ時間を減少させるための装置において、
アップリンク干渉情報を含む、ページングメッセージを受け取る手段と、
前記受け取ったページングメッセージから前記アップリンク干渉情報を取得する手段と、
前記アップリンク干渉情報を使用して、ＲＲＣ接続要求メッセージを送ることによって、前記受け取ったページングメッセージに応答する手段と
を具備する装置。
【請求項３９】
共通制御チャネル上で前記ページングメッセージを受け取る手段をさらに具備する、請求項３８記載の装置。
【請求項４０】
前記装置はＵＭＴＳの一部であり、前記共通制御チャネルはＳ−ＣＣＰＣＨである、請求項３９記載の装置。
【請求項４１】
前記取得したアップリンク干渉情報を記憶させる手段と、
有効期限タイマーを開始させる手段と、
前記有効期限タイマーが期限切れするまで、前記取得されたアップリンク干渉情報が有効であるとしてみなす手段と
をさらに具備する、請求項４０記載の装置。
【請求項４２】
記憶されているプログラムコードを備えるコンピュータ読取可能媒体において、
コンピュータに、アップリンク干渉情報を決定させるプログラムコードと、
前記コンピュータに、共通制御チャネル上で送られることになるページングメッセージ中に、前記アップリンク干渉情報を含ませて、これによって、通話セットアップ時間を減少させるプログラムコードと
を具備するコンピュータ読取可能媒体。
【請求項４３】
前記コンピュータに、前記共通制御チャネル上で前記ページングメッセージを送らせるプログラムコードをさらに具備する、請求項４２記載のコンピュータ読取可能媒体。
【請求項４４】
記憶されているプログラムコードを具備するコンピュータ読取可能媒体において、
コンピュータに、アップリンク干渉情報を含む、ページングメッセージを受け取らせるプログラムコードと、
前記コンピュータに、前記受け取ったページングメッセージから前記アップリンク干渉情報を取得させるプログラムコードと、
前記コンピュータに、前記アップリンク干渉情報を使用して、ＲＲＣ接続要求メッセージを送らせることによって、前記受け取ったページングメッセージに応答させるプログラムコードと
を具備するコンピュータ読取可能媒体。
【請求項４５】
前記コンピュータに、共通制御チャネル上で前記ページングメッセージを受け取らせるプログラムコードをさらに具備する、請求項４４記載のコンピュータ読取可能媒体。
【請求項４６】
前記共通制御チャネルはＳ−ＣＣＰＣＨである、請求項４５記載のコンピュータ読取可能媒体。
【請求項４７】
前記コンピュータに、
前記取得したアップリンク干渉情報を記憶させ、
有効期限タイマーを開始させ、
前記有効期限タイマーが期限切れするまで、前記取得されたアップリンク干渉情報が有効であるとしてみなすようにさせるプログラムコードをさらに具備する、請求項４６記載のコンピュータ読取可能媒体。
【請求項４８】
少なくとも１つのコンピュータによって実行されるときに方法を実行させる、記憶されているプログラムコードを含むコンピュータ読取可能媒体において、
アップリンク干渉情報を決定するプログラムコードと、
共通制御チャネル上で送られることになるページングメッセージ中に、前記アップリンク干渉情報を含めるプログラムコードと、
前記共通制御チャネル上で前記ページングメッセージを送るプログラムコードと、
前記ページングメッセージを受け取るプログラムコードと、
前記受け取ったページングメッセージから前記アップリンク干渉情報を取得するプログラムコードと、
前記アップリンク干渉情報を使用して、ＲＲＣ接続要求メッセージを送ることによって、前記受け取ったページングメッセージに応答するプログラムコードと
を具備するコンピュータ読取可能媒体。
【請求項４９】
前記取得したアップリンク干渉情報を記憶させ、
有効期限タイマーを開始させ、
前記有効期限タイマーが期限切れするまで、前記取得されたアップリンク干渉情報が有効であるとしてみなすようにさせるプログラムコードをさらに具備する、請求項４５記載のコンピュータ読取可能媒体。
【発明の詳細な説明】
【米国法第３５部第１１９条に基づく優先権の主張】
【０００１】
本出願は、２００７年１月３１日に出願され、“ページングメッセージ中に干渉情報を含めることによって、移動体終端の通話セットアップ遅延を減少させるための方法と装置”と題された仮出願第６０／８８７，５８８号に対する優先権を主張し、これは、本出願譲受人に譲渡され、ここで参照により明示的に組み込まれている。
【分野】
【０００２】
本開示は、一般的に通話セットアップ時間を減少させるための装置と方法に関連する。より詳細には、本開示は、ページングメッセージ中に干渉情報を含めることによって、通話セットアップ時間を減少させることに関連する。
【背景】
【０００３】
移動体終端の（ＭＴ）通話セットアップ時間は、ワイヤレスネットワークにおいてキーとなる性能表示である。これは、ネットワークによって、どのようなサービスが提供されるかに関わらず、ユーザの経験に直接の影響を持っている。移動体終端の通話セットアップ時間は、チャーンレートとともに、ネットワークによって生み出される全体の収益にかなりの衝撃を持っている。セルラワイヤレスネットワークでは、ユーザ装置（ＵＥ）がアイドル状態であるとき、ページングをチェックして、ネットワークによってブロードキャストされたシステム情報を読み取るために、ＵＥは、定期的な時間間隔でウェークアップする。ワイヤレス通信システムの現在のフォーマットは、第３世代（３Ｇ）システムを含み、３Ｇシステムは、以前の２Ｇシステムよりも、より大きい容量と、より広帯域のワイヤレス能力を提供する。３Ｇシステムは、ワイヤレスネットワークからＵＥに対してシステム情報をブロードキャストする共通制御チャネルを含む。１つの台頭しつつある３Ｇシステムは、ユニバーサル移動体通信システム（ＵＭＴＳ）である。ＵＭＴＳでは、いくつかの共通制御チャネルがある。例えば、ＵＭＴＳにおいて、１次共通制御物理チャネル（Ｐ−ＣＣＰＣＨ）には、マスター情報ブロック（ＭＩＢ）と、システム情報ブロック（ＳＩＢ）とにカテゴリ分けされる異なる情報ブロックがある。
【０００４】
例えば、それぞれのＳＩＢは、これらに制限される訳ではないが、地上波公共移動通信ネットワーク（ＰＬＭＮ）情報、ＤＲＸサイクル係数（ＳＩＢ１）、セル再選択のためのしきい値（ＳＩＢ３）、現在のアップリンク干渉情報（ＳＩＢ７、ＳＩＢ１４）、ページング頻度、タイマー等のような、特定のタイプのネットワーク情報を搬送する。これらのシステム情報ブロックのブロードキャストのスケジューリングは、マスター情報ブロック（ＭＩＢ）に含まれ、ＭＩＢは、定期的な、予め定められた時間間隔でブロードキャストされる。ＭＩＢは、ブロードキャストされるＳＩＢのそれぞれに対する、厳密な反復カウントと、セグメント番号と、システムフレーム番号とを含む。ＳＩＢの１つは、ＳＩＢ７（または、ＳＩＢ１４）であり、ＳＩＢ７（または、ＳＩＢ１４）は、基地局受信機によって認識された、最新のアップリンク干渉情報を搬送する。それぞれのＵＥは、ネットワークとの接続を確立する前に、キャンピングセルのＳＩＢ７（または、ＳＩＢ１４）を読み取る必要がある。ＳＩＢ７（または、ＳＩＢ１４）情報は、（アップリンク干渉情報としても知られている）アップリンク干渉レベルを含み、開ループ電力制御計算において、アップリンク干渉レベルを使用して、ランダムアクセスのための適切な送信電力レベルを決定する。さらに、ＵＥは、ＵＥがネットワークによってページされているか否かを決定するために、そのページングブロックをデコードする。いくつかの例において、ＳＩＢ７（または、ＳＩＢ１４）を読み取ることと、ネットワークによってページされていることとは、同時に発生してもよく、あるいは、ほぼ同時に発生してもよい。
【０００５】
ページングブロックは、２次共通制御物理チャネル（Ｓ−ＣＣＰＣＨ）を通してブロードキャストされる。一般的に、（Ｓ−ＣＣＰＣＨ上の）ページングブロックのデコーディングは、（Ｐ−ＣＣＰＣＨ上の）ＳＩＢのデコーディングよりも、より高い優先度を持つ。ＵＥがページされているとき、ＵＥが、次に発生するブロードキャストされるＳＩＢ７（または、ＳＩＢ１４）を受信してしまうまで、ＵＥはページに応答して、即座にネットワークとの接続を開始することができない。結果として、ページの受け取りと、ネットワークとの接続要求開始との間の必然的な待機時間がある。待機時間は、異なるＵＥによって違っていてもよく、ユーザ経験を確実に良くするために、所望されるよりも長時間である待機時間もある。
【発明の概要】
【０００６】
移動体終端の（ＭＴ）通話セットアップ時間を減少させるための装置と方法を開示する。ここで開示するように、ページングメッセージ中に、アップリンク干渉情報を含めることによって、ＭＴ通話セットアップ時間の減少と、ＳＩＢ７（または、ＳＩＢ１４）の次の発生に対する待機時間の減少と、通話成功レート性能の向上とを含む有利な結果が生じ、したがって、ユーザ経験が確実によりよくなっている。例えば、ページングメッセージ中に、アップリンク干渉情報を含めることによって、ユーザ機器は、ページングメッセージを受信するとすぐに、ページに応答することができる。
【０００７】
１つの観点にしたがうと、ワイヤレス通信装置の通話セットアップ時間を減少させるための方法は、アップリンク干渉情報を決定することと、共通制御チャネル上で送られることになるページングメッセージ中に、アップリンク干渉情報を含め、これによって通話セットアップ時間を減少させることとを含む。１つの観点では、方法は、共通制御チャネル上でページングメッセージを送ることをさらに含む。
【０００８】
別の観点にしたがうと、ワイヤレス通信装置の通話セットアップ時間を減少させるための方法は、アップリンク干渉情報を含む、ページングメッセージを受け取ることと、受け取ったページングメッセージからアップリンク干渉情報を取得することと、アップリンク干渉情報を使用して、ＲＲＣ接続要求メッセージを送ることによって、受け取ったページングメッセージに応答することとを含む。
【０００９】
別の観点にしたがうと、ワイヤレス通信装置の通話セットアップ時間を減少させるための方法は、アップリンク干渉情報を決定することと、共通制御チャネル上で送られることになるページングメッセージ中に、アップリンク干渉情報を含めることと、共通制御チャネル上でページングメッセージを送ることと、ページングメッセージを受け取ることと、受け取ったページングメッセージからアップリンク干渉情報を取得することと、アップリンク干渉情報を使用して、ＲＲＣ接続要求メッセージを送ることによって、受け取ったページングメッセージに応答することとを含む。
【００１０】
別の観点にしたがうと、プロセッサとメモリとを具備する装置において、メモリは、プロセッサによって、方法を実行させるように実行可能なプログラムコードを備え、方法は、アップリンク干渉情報を決定することと、共通制御チャネル上で送られることになるページングメッセージ中に、アップリンク干渉情報を含め、これによって通話セットアップ時間を減少させることとを含む。
【００１１】
別の観点にしたがうと、プロセッサとメモリを具備する装置において、メモリは、プロセッサによって、方法を実行させるように実行可能なプログラムコードを備え、方法は、アップリンク干渉情報を含む、ページングメッセージを受け取ることと、受け取ったページングメッセージからアップリンク干渉情報を取得することと、アップリンク干渉情報を使用して、ＲＲＣ接続要求メッセージを送ることによって、受け取ったページングメッセージに応答することと
を含む。
【００１２】
別の観点にしたがうと、通話セットアップ時間を減少させるための装置は、アップリンク干渉情報を決定する手段と、共通制御チャネル上で送られることになるページングメッセージ中に、アップリンク干渉情報を含めて、これによって通話セットアップ時間を減少させる手段とを具備する。
【００１３】
別の観点にしたがうと、通話セットアップ時間を減少させるための装置は、アップリンク干渉情報を含む、ページングメッセージを受け取る手段と、受け取ったページングメッセージからアップリンク干渉情報を取得する手段と、アップリンク干渉情報を使用して、ＲＲＣ接続要求メッセージを送ることによって、受け取ったページングメッセージに応答する手段とを具備する。
【００１４】
別の観点にしたがうと、記憶されているプログラムコードを備えるコンピュータ読取可能媒体は、コンピュータに、アップリンク干渉情報を決定させるプログラムコードと、コンピュータに、共通制御チャネル上で送られることになるページングメッセージ中に、アップリンク干渉情報を含めて、これによって通話セットアップ時間を減少させるプログラムコードとを具備する。
【００１５】
別の観点にしたがうと、記憶されているプログラムコードを具備するコンピュータ読取可能媒体において、コンピュータに、アップリンク干渉情報を含む、ページングメッセージを受け取らせるプログラムコードと、コンピュータに、受け取ったページングメッセージからアップリンク干渉情報を取得させるプログラムコードと、コンピュータに、アップリンク干渉情報を使用して、ＲＲＣ接続要求メッセージを送ることによって、受け取ったページングメッセージに応答させるプログラムコードとを具備する。
【００１６】
別の観点にしたがうと、少なくとも１つのコンピュータによって実行されるときに、方法を実行する、記憶されているプログラムコードを含むコンピュータ読取可能媒体において、アップリンク干渉情報を決定するプログラムコードと、共通制御チャネル上で送られることになるページングメッセージ中に、アップリンク干渉情報を含めるプログラムコードと、共通制御チャネル上でページングメッセージを送るプログラムコードと、ページングメッセージを受け取るプログラムコードと、受け取ったページングメッセージからアップリンク干渉情報を取得するプログラムコードと、アップリンク干渉情報を使用して、ＲＲＣ接続要求メッセージを送ることによって、受け取ったページングメッセージに応答するプログラムコードとを具備する。
【００１７】
さまざまな観点を例示として、示し、説明した、以下の詳細な説明から、当業者にとって、他の観点が容易に明らかになるだろうということが、理解されるだろう。図面と詳細な説明とは、例示的な性質のものであって、制限的なものでないとして、理解されるべきである。
【図面の簡単な説明】
【００１８】
【図１】図１は、例示的なワイヤレスネットワークを図示するブロック図である。
【図２Ａ】図２Ａは、ページングブロックと、ＳＩＢブロードキャストブロックとのタイムラインオーバーラップを図示する。
【図２Ｂ】図２Ｂは、ページングブロックと、ＳＩＢブロードキャストブロックとのタイムラインオーバーラップを図示する。
【図３】図３は、例示的なＰ−ＣＣＰＣＨおよびＳ−ＣＣＰＣＨタイムラインを図示し、Ｐ−ＣＣＰＣＨおよびＳ−ＣＣＰＣＨタイムラインは、ページングメッセージ中にアップリンク干渉情報を含んでいる。
【図４】図４は、通話セットアップ時間を減少させるための１組の例示的なステップを図示するフロー図である。
【図５】図５は、通話セットアップ時間を減少させるための実施を図示する。
【図６】図６は、通話セットアップ時間を減少させるのに適した装置の実施形態を図示する。
【詳細な説明】
【００１９】
添付の図面に関連して以下で説明する詳細な説明は、本開示のさまざまな観点を説明することを意図しており、本開示が実行されてもよい唯一の観点を表現することを意図していない。本開示において説明するそれぞれの観点は、本開示の単なる例または説明としてのみ提供され、必ずしも、他の観点よりも好ましいまたは有利であるとして見なされるべきではない。詳細な説明は、本開示の全体的な理解をもたらす目的で、特定の詳細を含む。しかしながら、本開示はこれらの特定の詳細なしで実行されてもよいことを当業者は理解するだろう。いくつかの例では、本開示の概念を曖昧にしないために、よく知られた構造と装置をブロック図の形態で示した。頭字語と、他の説明的な用語は、単に利便性と明快さのために使用され、本開示の範囲を制限することを意図していない。
【００２０】
説明を簡潔にする目的で、方法は一連の動作として示し、説明したが、方法は、動作の順番によって制限されず、１つ以上の観点にしたがった、いくつかの動作は、異なる順序で発生してもよく、他のここで示し、説明する動作と同時に発生してもよいことを理解し、認識すべきである。例えば、当業者は、方法が、代わりに、状態図のような、一連の相互に関連した状態またはイベントとして表現されてもよいことを理解し、認識するだろう。さらに、１つ以上の観点にしたがうと、方法を実現するために、すべての図示された動作が要求されるわけではない。
【００２１】
ＳＩＢ７（または、ＳＩＢ１４）ブロードキャストのスケジューリングと反復回数は、定数であり、ネットワークによって設定される。ページング機会もまた、ＵＥの国際加入者移動体識別（ＩＭＳＩ）に基づいて決定される。これらの標準の結果として、ＵＥの、ページの受け取りと、ネットワークとの接続要求開始との間の待機時間は、それにＵＥが属しているページンググループに依拠するだろう。例えば、ＵＥが、次のＳＩＢ７（または、ＳＩＢ１４）スケジューリングスロットに隣接するページンググループに属している場合、ＵＥは、最小の待機時間しか経験しないことになる。対照的に、ＵＥが、ページングブロックと、ＳＩＢ７（または、ＳＩＢ１４）との間でオーバーラップするページンググループに属する場合、ページングのデコーディングは、（規約により）より高い優先度を持ち、ＵＥは、ＳＩＢのデコーディングをし損なうことになる。このようなケースでは、ＵＥは、最大の待機時間を経験することになり、一貫して、最大のＭＴ通話セットアップ時間を経験することになるだろう。
【００２２】
図１は、例示的なワイヤレスネットワーク１００を図示するブロック図である。図１に図示した例示的なワイヤレスネットワーク１００がＦＤＭＡ環境、ＯＦＤＭＡ環境、ＣＤＭＡ環境、ＷＣＤＭＡ環境、ＴＤＭＡ環境、ＳＤＭＡ環境、または任意の適切なワイヤレス環境において実現されてもよいことを、当業者は理解するだろう。
【００２３】
ワイヤレスネットワーク１００は、（基地局としても、知られる）アクセスポイント２００と、（ユーザ機器、または、ＵＥとしても、知られる）ワイヤレス通信装置３００とを含む。ダウンリンク工程では、（基地局としても、知られる）アクセスポイント２００は、送信（ＴＸ）データプロセッサＡ２１０を含み、ＴＸデータプロセッサＡ２１０は、トラフィックデータを受信し、フォーマットし、コードし、インターリーブし、変調し（またはシンボルマップし）、（データシンボルとしても、知られる）変調シンボルを提供する。ＴＸデータプロセッサＡ２１０は、シンボル変調器Ａ２２０と通信している。シンボル変調器Ａ２２０は、データシンボルと、ダウンリンクパイロットシンボルとを受け取り、処理し、そして、シンボルのストリームを提供する。１つの観点では、シンボル変調器Ａ２２０は、構成情報を提供する、プロセッサＡ２８０と通信している。シンボル変調器Ａ２２０は、送信機ユニット（ＴＭＴＲ）Ａ２３０と通信している。シンボル変調器Ａ２２０は、データシンボルとダウンリンクパイロットシンボルを多重化し、これらを送信機ユニットＡ２３０に提供する。
【００２４】
送信されることになるそれぞれのシンボルは、データシンボル、ダウンリンクパイロットシンボル、または、ゼロ値の信号であってもよい。ダウンリンクパイロットシンボルは、それぞれのシンボル期間中で継続的に送られてもよい。１つの観点では、ダウンリンクパイロットシンボルは、周波数分割多重化（ＦＤＭ）されている。別の観点では、ダウンリンクパイロットシンボルは、直交周波数分割多重化（ＯＦＤＭ）されている。さらに別の観点では、ダウンリンクパイロットシンボルは、コード分割多重化（ＣＤＭ）されている。１つの観点では、送信機ユニットＡ２３０は、シンボルのストリームを受け取り、１つ以上のアナログ信号へと変換し、さらに、アナログ信号をさらに調整し、例えば、増幅し、フィルタし、および／または周波数上位変換して、ワイヤレス送信に適切なアナログダウンリンク信号を生成させる。アナログダウンリンク信号は、次に、アンテナ２４０を通して送信される。
【００２５】
ダウンリンク工程では、（ＵＥとして知られる）ワイヤレス通信装置３００は、アナログダウンリンク信号を受信し、アナログダウンリンク信号を受信機ユニット（ＲＣＶＲ）Ｂ３２０に入力するアンテナ３１０を含む。１つの観点では、受信機ユニットＢ３２０は、アナログダウンリンク信号を調整し、例えば、フィルタし、増幅し、および、周波数下位変換して、“調整された”信号を生成させる。“調整された”信号は、次にサンプルされる。受信機ユニットＢ３２０は、シンボル復調器Ｂ３３０と通信している。シンボル復調器Ｂ３３０は、受信機ユニットＢ３２０から出力された、（データシンボルとして知られる）“調整され”、“サンプルされた”信号を復調する。シンボル復調器Ｂ３３０は、プロセッサＢ３４０と通信している。プロセッサＢ３４０は、ダウンリンクパイロットシンボルをシンボル復調器Ｂ３３０から受信し、ダウンリンクパイロットシンボル上にチャネル推定を実行する。１つの観点では、チャネル推定は、現在の伝搬環境を特徴づけるプロセスである。シンボル復調器Ｂ３３０は、プロセッサＢ３４０からダウンリンク工程に対する周波数応答推定を受け取る。シンボル復調器Ｂ３３０は、データシンボル上にデータ復調を実行し、データシンボル推定を取得する。データシンボル推定は、送信されたデータシンボルの推定である。シンボル復調器Ｂ３３０は、ＲＸデータプロセッサＢ３５０とも通信している。ＲＸデータプロセッサＢ３５０は、シンボル復調器Ｂ３３０からデータシンボル推定を受信し、例えば、データシンボル推定を復調し（すなわち、シンボルデマップし）、インターリーブし、および／または、デコードして、トラフィックデータを回復させる。１つの観点では、シンボル復調器Ｂ３３０と、ＲＸデータプロセッサＢ３５０とによる処理は、それぞれ、シンボル変調器Ａ２２０と、ＴＸデータプロセッサＡ２１０とによる処理に対して補足的なものである。
【００２６】
アップリンク工程では、（ＵＥとして知られる）ワイヤレス通信装置３００は、ＴＸデータプロセッサＢ３６０を含む。ＴＸデータプロセッサＢ３６０は、トラフィックデータを受け取って、処理して、データシンボルを出力する。ＴＸデータプロセッサＢ３６０は、シンボル変調器Ｄ３７０と通信している。シンボル変調器Ｄ３７０は、アップリンクパイロットシンボルとともにデータシンボルを受け取り、多重化し、変調を実行して、シンボルのストリームを提供する。１つの観点では、シンボル変調器Ｄ３７０は、構成情報を提供する、プロセッサＢ３４０と通信している。シンボル変調器Ｄ３７０は、送信機ユニットＢ３８０と通信している。
【００２７】
送信されることになるそれぞれのシンボルは、データシンボル、アップリンクパイロットシンボル、または、ゼロ値の信号であってもよい。アップリンクパイロットシンボルは、それぞれのシンボル期間中に連続的に送られてもよい。１つの観点では、アップリンクパイロットシンボルは、周波数分割多重化（ＦＤＭ）されている。別の観点では、アップリンクパイロットシンボルは、直交周波数分割多重化（ＯＦＤＭ）されている。さらに別の観点では、アップリンクパイロットシンボルは、コード分割多重化（ＣＤＭ）されている。１つの観点では、送信機ユニットＢ３８０は、シンボルのストリームを受け取り、１つ以上のアナログ信号へと変換し、さらに、アナログ信号をさらに調整し、例えば、増幅し、フィルタし、および／または周波数上位変換して、ワイヤレス送信に適切なアナログアップリンク信号を生成させる。アナログアップリンク信号は、次に、アンテナ３１０を通して送信される。
【００２８】
ワイヤレス通信装置（ＵＥ）３００からのアナログアップリンク信号は、アンテナ２４０によって受信され、受信機ユニットＡ２５０によって処理され、サンプルが取得される。１つの観点では、受信機ユニットＡ２５０は、アナログアップリンク信号を調整し、例えば、フィルタし、増幅し、および／または周波数下位変換して、“調整された”信号にする。“調整された”信号は、次にサンプルされる。受信機ユニットＡ２５０は、シンボル復調器Ｃ２６０と通信している。シンボル復調器Ｃ２６０は、データシンボルにデータ復調を実行して、データシンボル推定を取得して、アップリンクパイロットシンボルとデータシンボル推定とをＲＸデータプロセッサ２７０に提供する。データシンボル推定は、送信されたデータシンボルの推定である。ＲＸデータプロセッサ２７０は、データシンボル推定を処理し、ワイヤレス通信装置３００によって送信されたトラフィックデータを回復させる。シンボル復調器Ｃ２６０はまた、プロセッサＡ２８０とも通信している。プロセッサＡ２８０は、アップリンク工程におけるそれぞれのアクティブ端末送信に対してチャネル推定を実行する。１つの観点では、複数の端末が、アップリンク工程で、彼らのそれぞれの割り当てられた組のパイロットサブ帯域で、同時にパイロットシンボルを送信してもよく、ここで、パイロットサブ帯域の組は、インターレースされていてもよい。
【００２９】
プロセッサＡ２８０とプロセッサＢ３４０とは、それぞれ、（基地局としても知られている）アクセスポイント２００における動作と、（ユーザ装置またはＵＥとしても知られている）ワイヤレス通信デバイス３００における動作とを指示する（すなわち、制御、調整、または管理等する）。１つの観点では、プロセッサＡ２８０とプロセッサＢ３４０とのいずれか、または、両方が、プログラムコードおよび／またはデータを記憶する（示していない）１つ以上のメモリユニットに関係付けられている。１つの観点では、プロセッサＡ２８０とプロセッサＢ３４０とのいずれか、または、両方が、計算を実行して、アップリンク工程と、ダウンリンク工程とに対する、周波数とインパルス応答推定とを導出してもよい。
【００３０】
１つの観点では、ワイヤレスネットワーク１００は、多重アクセスシステムである。多重アクセスシステム（例えば、ＦＤＭＡ、ＯＦＤＭＡ、ＣＤＭＡ、ＴＤＭＡ等）に対して、複数の端末はアップリンク工程において同時に送信する。１つの観点では、多重アクセスシステムに対して、パイロットサブ帯域は、異なる端末の間で共有されてもよい。それぞれの端末に対するパイロットサブ帯域が（可能ならば帯域のエッジを除外して、）全体の動作帯域にまたがっているケースにおいて、チャネル推定技術を使用する。このようなパイロットサブ帯域構造は、それぞれの端末に対する周波数ダイバーシティを取得するのに望ましい。
【００３１】
ここで説明した技術をさまざまな方法で実現してもよいことを、当業者は理解するだろう。例えば、技術をハードウェアで実現してもよく、ソフトウェアで実現してもよく、これらの組み合わせで実現してもよい。例えば、ハードウェア実現では、チャネル推定に対して使用される処理ユニットは、１つ以上の特定用途向け集積回路（ＡＳＩＣ）、デジタルシグナルプロセッサ（ＤＳＰ）、デジタルシグナル処理装置（ＤＳＰＤ）、プログラム可能論理装置（ＰＬＤ）、フィールドプログラム可能ゲートアレイ（ＦＰＧＡ）、プロセッサ、制御装置、マイクロ制御装置、マイクロプロセッサ、ここで説明する機能を実行するように設計された電子的ユニット、または、これらの任意の組み合わせとして実現されてもよい。ソフトウェアでは、実現は、ここで説明する機能を実行するモジュール（例えば、手続、関数等）を通したものであってもよい。ソフトウェアコードは、メモリユニット中に記憶されてもよく、プロセッサＡ２８０とプロセッサＢ３４０とによって実行されてもよい。
【００３２】
さまざまな図示的なフロー図、論理ブロック、モジュール、および／またはここで説明した回路を、（プロセッサとしても知られている）１つ以上のプロセッサユニットとともに、実現してもよく、または、実行してもよい。プロセッサは、マイクロプロセッサのような汎用プロセッサ、デジタルシグナルプロセッサ（ＤＳＰ）のような専用アプリケーションプロセッサであってもよく、あるいは、ソフトウェアをサポートすることができる、他の任意のハードウェアプラットフォームであってもよい。ソフトウェアは、ソフトウェア、ファームウェア、ミドルウェア、マイクロコード、または他の任意の用語として呼ばれるかに関わらず、命令、データ構造、またはプログラムコードの任意の組み合わせを意味するとして広く解釈すべきである。代わりに、プロセッサは、特定用途向け集積回路（ＡＳＩＣ）、プログラム可能論理装置（ＰＬＤ）、フィールドプログラム可能ゲートアレイ（ＦＰＧＡ）、制御装置、マイクロ制御装置、状態機械、ディスクリートハードウェアコンポーネントの組み合わせ、またはこれらの任意の組み合わせであってもよい。ここで説明するさまざまな図示的な論理ブロック、モジュール、および／または回路はまた、ソフトウェアを記憶するためのコンピュータ読取可能媒体も含んでいてもよい。コンピュータ読取可能媒体はまた、１つ以上の記憶装置、伝送ライン、または、データ信号をエンコードする搬送波を含んでもよい。
【００３３】
図２Ａと２Ｂは、ページングブロックと、ＳＩＢブロードキャストブロックとのタイムラインオーバーラップを図示する。ワイヤレスネットワーク１００が（ＵＥとしても知られている）ワイヤレス通信装置３００をページするとき、ワイヤレスネットワーク１００は、ページングインジケータチャネル（ＰＩＣＨ）上で、（ＵＥとしても知られている）ワイヤレス通信装置３００に対応するページングインジケータ（ＰＩ）を設定する。１つの観点では、１つ以上のワイヤレス通信装置を、同一のＰＩに対して割り当てることができる。それぞれのワイヤレス通信装置は、そのＰＩの値を決定するために、ＰＩＣＨ上の（ページング機会としても知られる）特定のフレームだけを監視する。１つの観点では、それぞれのワイヤレス通信装置に対するページング機会のシステムフレーム番号（ＳＦＮ）は、以下のように計算される。  
ＳＦＮ ＝ ｛（ＩＭＳＩ ｄｉｖ Ｋ) ｍｏｄ ＤＲＸ サイクル長） ＋ ｎ＊ＤＲＸ サイクル長 ＋ フレームオフセット・・・（１）  
ここで、Ｋは、セル中のＳ−ＣＣＰＣＨチャネルの数であり；ＤＲＸサイクル長は、ワイヤレスネットワークによって設定された構成可能なパラメータであり；ＩＭＳＩは、国際加入者移動体識別であり、国際加入者移動体識別は、ワイヤレスネットワークによって、それぞれの加入者に割り当てられる固定番号であり、ｎ＝０，１，２，・・・ＳＦＮが最大数になるまで（＜２５６）。１つの例では、Ｋは１に設定される。
【００３４】
（ＵＥとしても知られている）ワイヤレス通信装置３００は、ＰＩＣＨ上のそのＰＩが設定されているか否かを決定し、（ＵＥとしても知られている）ワイヤレス通信装置３００は、ページングチャネル（ＰＣＨ）を読み取って、到来しているページがそれ自体に対して向けられているか否かを決定するだろう。ＰＣＨは、共通制御チャネルへとマッピングされる。１つの観点では、共通制御チャネルは、ＵＭＴＳにおける２次共通制御物理チャネル（Ｓ−ＣＣＰＣＨ）である。いくつかの例では、ページングブロックの送信は、（ＵＥとしても知られている）ワイヤレス通信装置３００がランダムアクセスを開始するために読み取る必要があるＳＩＢのブロードキャストとオーバーラップする。２次共通制御物理チャネル（Ｓ−ＣＣＰＣＨ）を通してブロードキャストされるページングブロックは、一般的に、（Ｐ−ＣＣＰＣＨ上の）ＳＩＢのデコーディングよりも、より高い優先度を持つ。したがって、（ＵＥとしても知られている）ワイヤレス通信装置３００は、ページングブロックを読み取ることになり、ＳＩＢを失うことになるだろう。特に、ページングブロックがＳＩＢ７とオーバーラップする場合、（ＵＥとしても知られている）ワイヤレス通信装置３００は、ＳＩＢ７をデコーディングし損なうだろう。（ＵＥとしても知られている）ワイヤレス通信装置３００がページされているとき、ワイヤレス通信装置３００は、それがブロードキャストされるＳＩＢ７の次の発生を受け取るまで、ワイヤレスネットワークと接続を即座に開始して、ページに応答することができず、ページの受取りと、ワイヤレスネットワーク１００とのページと接続要求の開始の間の待機時間がもたらされる。ＳＩＢ７情報は、開ループ電力制御計算に使用され、ランダムアクセスのための適切な送信電力レベルを決定する、アップリンク干渉レベルを含む。
【００３５】
図２Ａと２Ｂにおいて示したように、アイテム１は、ＩＭＳＩ＃Ｎに向けられたページングタイプ１メッセージである。アイテム２は、ＩＭＳＩ＃Ｎを持つ（ＵＥとしても知られている）ワイヤレス通信装置３００に対して向けられたＳＩＢ７を含む、ＢＣＨデータである。（ＵＥとしても知られている）ワイヤレス通信装置３００は、ページに応答できるようになる前に、ＳＩＢ７をデコードする必要がある。この例では、しかしながら、ページングブロックがＳＩＢ７とオーバーラップしているので、（ＵＥとしても知られている）ワイヤレス通信装置３００は、ＳＩＢ７の次の発生を待つ必要があるだろう。したがって、この例では、（ＵＥとしても知られている）ワイヤレス通信装置３００は、最悪のＭＴ通話セットアップ時間を持つことになるだろう。
【００３６】
図３は、ページングメッセージ中にアップリンク干渉情報を含む、例示的なＰ−ＣＣＰＣＨとＳ−ＣＣＰＣＨタイムラインを図示する。図３は、一定の反復レートで到来する既存のブロードキャストされたＳＩＢ７（またはＳＩＢ１４）に加えて、ＵＴＲＡＮ（ＵＭＴＳ地上無線アクセスネットワーク）は、ページングメッセージにアップリンク干渉情報を付加して、ページングメッセージとアップリンク干渉情報とを同時に送る。１つの例では、ページングタイプ１メッセージは、ＩＭＳＩ＃Ｎに対して向けられている。アップリンク干渉情報は、ページングタイプ１メッセージの一部に含まれ、次のＳＩＢ７（またはＳＩＢ１４）発生に対する待機時間をなくす。このことは、（ユーザ機器またはＵＥとしても知られている）ワイヤレス通信装置３００が、ＲＲＣ接続要求メッセージを送ることによって、ページに即座に応答することができるようにして、次のＳＩＢ７（またはＳＩＢ１４）に対する待機時間をなくす。
【００３７】
ここで開示したように、ページングメッセージ中にアップリンク干渉情報を含めることによって、有利な結果は、ＭＴ通話セットアップ時間を減少させることと、次のＳＩＢ７、または、ＳＩＢ１４発生に対する待機時間を減少させることと、通話成功レート性能を向上させることとを含んでもよく、したがって、ユーザ経験を確実によりよくする。例えば、ページングメッセージ中にアップリンク干渉情報を含めることによって、ユーザ機器は、ページングタイプ１メッセージが受信されるとすぐに、ページに応答することができる。
【００３８】
図４は、通話セットアップ時間を減少させるための１組の例示的なステップを図示するフロー図である。ブロック４１０において、ワイヤレスネットワーク１００は、アップリンク干渉情報を決定する。一度アップリンク干渉情報が決定されると、ブロック４２０で、アップリンク干渉情報はページングメッセージ（例えば、ページングタイプ１メッセージ）中に含められる。ブロック４３０において、アップリンク干渉情報を含むページングメッセージが、共通制御チャネル上で送られる。１つの観点では、このステップにおける共通制御チャネルは、Ｓ−ＣＣＰＣＨである。
【００３９】
ブロック４４０において、ワイヤレス通信装置３００は、ページングメッセージを受信し、ブロック４５０において、ワイヤレス通信装置３００は、アップリンク干渉情報を取得する。例えば、ページングメッセージを受け取った後で、ワイヤレス通信装置３００は、受け取ったアップリンク干渉情報を処理する（例えば、デコードする）。１つの観点では、開ループ電力制御計算において、アップリンク干渉情報を使用して、ワイヤレス通信装置３００に対する適切な送信電力レベルを決定する。１つの観点では、処理は、アップリンク干渉情報を記憶させることと、予め定められた値で有効期限タイマーを開始させることと、有効期限タイマーが期限切れするまで、アップリンク干渉情報が有効であるとしてみなすことを含んでもよい。当業者は、予め定められた値が、本開示の範囲と精神とに影響を与えることなく、システムパラメータ、または、オペレーター選択等に基づいていてもよいことを理解するだろう。
【００４０】
１つの観点では、ページングメッセージからアップリンク干渉情報をデコーディングすることと、管理することとは、無線リソース制御装置（ＲＲＣ）のタスクである。１つの観点では、ＲＲＣは、（ＵＥとしても知られている）ワイヤレス通信装置３００の一部である。ＲＲＣは、アップリンク干渉情報を読み取り、デコードする。ブロック４６０において、ワイヤレス通信装置３００は、ワイヤレス通信装置３００が、アップリンク干渉情報を取得した後で、ワイヤレスネットワーク１００に対するＲＲＣ接続要求メッセージを送ることによって、ページ（例えば、ページングメッセージ）に応答する。ここで開示したように、ページングメッセージにアップリンク干渉情報を含めることは、ＭＴ通話セットアップ時間を減少させることと、次のＳＩＢ７、または、ＳＩＢ１４の発生に対する待機時間を減少させることと、通話成功レート性能を増加させることとを含んでもよい有利な結果を可能にし、したがって、ユーザ経験を確実によりよくする。例えば、ページングメッセージ中にアップリンク干渉情報を含めることによって、（ＵＥとしても知られている）ワイヤレス通信装置３００は、ページングメッセージが受信されるとすぐに、ページに応答することができる。図４に提示したすべてのステップを使用する必要はなく、本開示の範囲または精神に影響を及ぼすことなく、他のステップを、図４に提示したステップと結合させることができることを当業者は理解するだろう。
【００４１】
１つの例では、通話セットアップ時間を減少させることの実現は、図５に示したように、メモリ５２０と通信しているプロセッサ５１０を備える装置５００を通して達成されてもよい。１つの観点では、メモリ５２０はプロセッサ５１０内に位置している。別の観点では、メモリ５２０はプロセッサ５１０の外部にある。１つの観点では、図４に示した例示的なステップは、図５に示した実現（装置５００）によって実行される。
【００４２】
１つの観点では、本開示が、アップリンク干渉情報がＳＩＢ７ブロック中に含まれる周波数分割二重（ＦＤＤ）モードに関連することを当業者は理解するだろう。さらに、時間分割二重（ＴＤＤ）モードでは、アップリンク干渉情報が、ＳＩＢ１４ブロック中に含まれることと、これまでにＳＩＢ７ブロックを参照して行ってきた開示を、本開示の範囲または精神に影響を及ぼすことなく、ＳＩＢ１４ブロックで置き換えることができることとを当業者は理解するだろう。
【００４３】
図６は、通話セットアップ時間を減少させるのに適した装置６００の実施形態を示す。１つの観点では、装置６００は、ブロック６１０、６２０、６３０、６４０、６５０、および６６０中で、ここで説明したような通話セットアップ時間を減少させるための異なる観点を提供するように構成された１つ以上のモジュールを含む少なくとも１つのプロセッサによって、実現してもよい。例えば、それぞれのモジュールは、ハードウェア、ソフトウェア、または、これらの組み合わせを含んでいてもよい。１つの観点では、装置６００はまた、少なくとも１つのプロセッサと通信している、少なくとも１つのメモリによって実現されてもよい。
【００４４】
これまでの開示は、当業者が本発明開示を作成または使用することができるように提供した。これらの観点に対するさまざまな修正は、当業者に容易に明らかになり、ここで規定した一般的な原則は、本開示の精神または範囲から逸脱することなく他の観点に適用されてもよいだろう。
【図１】
2010518703.tif 000003
【図２Ａ】
2010518703.tif 000004
【図２Ｂ】
2010518703.tif 000005
【図３】
2010518703.tif 000006
【図４】
2010518703.tif 000007
【図５】
2010518703.tif 000008
【図６】
2010518703.tif 000009
【国際調査報告】
2010518703.tif 000010
2010518703.tif 000011